【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
ワイヤレス通信のためのネットワークエンティティによる方法であって、前記方法は、
前記ネットワークエンティティが優先情報を記憶することと、前記優先情報は、セルタイプの優先順序を定義し、前記セルタイプは、異なるワイヤレス技術または異なるアクセス制御タイプのうちの少なくとも１つを備え、ここにおいて、前記異なるアクセス制御タイプは、非クローズド加入者グループ（ＣＳＧ）タイプを備え、前記優先情報は、前記異なるワイヤレス技術のうちの１つのワイヤレス技術に対する前記非ＣＳＧタイプの優先順位を指定し、前記ワイヤレス技術に対する前記非ＣＳＧタイプの前記優先順位は、前記非ＣＳＧタイプの第１のセルが、前記ワイヤレス技術を使用する第２のセルに関して順序付けされることを示し、前記優先順序は、データトラフィックの第１のタイプについての第１の優先順序であり、前記優先情報は、データトラフィックの第２のタイプについての第２の異なる優先順序をさらに定義する、
ワイヤレス通信システムのセルに接続するために前記異なるワイヤレス技術または前記異なるアクセス制御タイプを使用するモバイルデバイスに前記優先情報を示すことと
を備える方法。
【請求項２】
前記異なるワイヤレス技術は、ワイヤレスローカルエリアネットワーク（ＷＬＡＮ）および少なくとも１つのセルラモバイル電話無線アクセス技術（ＲＡＴ）を備える、請求項１に記載の方法。
【請求項３】
前記少なくとも１つのセルラモバイル電話ＲＡＴは、第３世代パートナーシッププロジェクト（３ＧＰＰ）ＲＡＴを備える、請求項２に記載の方法。
【請求項４】
前記３ＧＰＰ ＲＡＴは、ユニバーサルモバイル電気通信システム（ＵＭＴＳ）、ＧＳＭ ＥＤＧＥ無線アクセスネットワーク（ＧＥＲＡＮ）、または次世代ＵＭＴＳ地上無線アクセス（Ｅ−ＵＴＲＡ）のうちの少なくとも１つを備える、請求項３に記載の方法。
【請求項５】
データトラフィックの前記第１のタイプは、インターネットプロトコル（ＩＰ）トラフィックを備える、請求項１に記載の方法。
【請求項６】
前記異なるアクセス制御タイプは、ＣＳＧモードおよびハイブリッドモードをさらに備える、請求項１に記載の方法。
【請求項７】
前記優先情報は、任意のＣＳＧメンバセルと他のワイヤレス技術との間で優先順位をさらに指定する、請求項１に記載の方法。
【請求項８】
前記優先情報は、任意のＣＳＧメンバセルと他のアクセス制御タイプとの間で優先順位をさらに指定する、請求項１に記載の方法。
【請求項９】
前記優先情報は、セルラモバイル電話無線アクセス技術（ＲＡＴ）を使用する特定のＣＳＧメンバセルを示すインジケーションを含む、請求項１に記載の方法。
【請求項１０】
前記優先情報は、前記特定のＣＳＧメンバセルに、前記優先順序の特定の位置が割り当てられることをさらに指定する、請求項９に記載の方法。
【請求項１１】
前記優先情報は、ワイヤレスローカルエリアネットワーク（ＷＬＡＮ）セルが前記特定のＣＳＧメンバセルよりも下に順序付けされることをさらに指定する、請求項９に記載の方法。
【請求項１２】
メモリにおよびワイヤレストランシーバに結合されたプロセッサを備える通信装置であって、
前記メモリは、ネットワークエンティティによって優先情報を記憶するように構成され、前記優先情報は、セルタイプの優先順序を定義し、前記セルタイプは、異なるワイヤレス技術または異なるアクセス制御タイプのうちの少なくとも１つを備え、ここにおいて、前記異なるアクセス制御タイプは、非クローズド加入者グループ（ＣＳＧ）タイプを備え、前記優先情報は、前記異なるワイヤレス技術のうちの１つのワイヤレス技術に対する前記非ＣＳＧタイプの優先順位を指定し、前記ワイヤレス技術に対する前記非ＣＳＧタイプの前記優先順位は、前記非ＣＳＧタイプの第１のセルが、前記ワイヤレス技術を使用する第２のセルに関して順序付けされることを示し、前記優先順序は、データトラフィックの第１のタイプについての第１の優先順序であり、前記優先情報は、データトラフィックの第２のタイプについての第２の異なる優先順序をさらに定義する、
前記プロセッサは、ワイヤレス通信システムのセルに接続するために前記異なるワイヤレス技術または前記異なるアクセス制御タイプを使用するモバイルデバイスに前記優先情報を示すように構成される、
通信装置。
【請求項１３】
ワイヤレス通信のためのモバイルデバイスによる方法であって、
ネットワークエンティティから優先情報を受信することと、前記優先情報は、セルタイプの優先順序を定義し、前記セルタイプは、異なるワイヤレス技術または異なるアクセス制御タイプのうちの少なくとも１つを備え、ここにおいて、前記異なるアクセス制御タイプは、非クローズド加入者グループ（ＣＳＧ）タイプを備え、前記優先情報は、前記ワイヤレス技術のうちの１つのワイヤレス技術に対する前記非ＣＳＧタイプの優先順位を指定し、前記ワイヤレス技術に対する前記非ＣＳＧタイプの前記優先順位は、前記非ＣＳＧタイプの第１のセルが、前記ワイヤレス技術を使用する第２のセルに関して順序付けされることを示し、前記優先順序は、データトラフィックの第１のタイプについての第１の優先順序であり、前記優先情報は、データトラフィックの第２のタイプについての第２の異なる優先順序をさらに定義する、
接続するかまたはキャンプオンすべき前記第１のセルまたは前記第２のセルを、前記優先情報に基づいて選択することと
を備える方法。
【請求項１４】
前記異なるワイヤレス技術は、ワイヤレスローカルエリアネットワーク（ＷＬＡＮ）および少なくとも１つのセルラモバイル電話無線アクセス技術（ＲＡＴ）を備える、請求項１３に記載の方法。
【請求項１５】
前記少なくとも１つのセルラモバイル電話ＲＡＴは、第３世代パートナーシッププロジェクト（３ＧＰＰ）ＲＡＴを備える、請求項１４に記載の方法。
【請求項１６】
前記３ＧＰＰ ＲＡＴは、ユニバーサルモバイル電気通信システム（ＵＭＴＳ）、ＧＳＭ ＥＤＧＥ無線アクセスネットワーク（ＧＥＲＡＮ）、または次世代ＵＭＴＳ地上無線アクセス（Ｅ−ＵＴＲＡ）のうちの少なくとも１つを備える、請求項１５に記載の方法。
【請求項１７】
データトラフィックの前記第１のタイプは、インターネットプロトコル（ＩＰ）トラフィックを備える、請求項１３に記載の方法。
【請求項１８】
前記異なるアクセス制御タイプは、ＣＳＧモードおよびハイブリッドモードをさらに備える、請求項１３に記載の方法。
【請求項１９】
前記優先情報は、任意のＣＳＧメンバセルと他のワイヤレス技術との間で優先順位をさらに指定する、請求項１３に記載の方法。
【請求項２０】
前記優先情報は、任意のＣＳＧメンバセルと他のアクセス制御タイプとの間で優先順位をさらに指定する、請求項１３に記載の方法。
【請求項２１】
前記優先情報は、セルラモバイル電話無線アクセス技術（ＲＡＴ）を使用する特定のＣＳＧメンバセルを示すインジケーションを含む、請求項１３に記載の方法。
【請求項２２】
前記優先情報は、前記特定のＣＳＧメンバセルに、前記優先順序の特定の位置が割り当てられることをさらに指定する、請求項２１に記載の方法。
【請求項２３】
前記優先情報は、ワイヤレスローカルエリアネットワーク（ＷＬＡＮ）セルが前記特定のＣＳＧメンバセルよりも下に順序付けされることをさらに指定する、請求項２１に記載の方法。
【請求項２４】
前記第１のセルまたは前記第２のセルを選択することは、データトラフィックの現在のタイプにさらに基づく、請求項１３に記載の方法。
【請求項２５】
通信装置であって、
ワイヤレストランシーバと、
メモリと、
前記メモリにおよび前記ワイヤレストランシーバに結合されたプロセッサと
を備え、前記プロセッサは、
ネットワークエンティティから優先情報を受信することと、セルタイプの優先順序、前記セルタイプは、異なるワイヤレス技術または異なるアクセス制御タイプのうちの少なくとも１つを備え、ここにおいて、前記異なるアクセス制御タイプは、非クローズド加入者グループ（ＣＳＧ）タイプを備え、前記優先情報は、前記ワイヤレス技術のうちの１つのワイヤレス技術に対する前記非ＣＳＧタイプの優先順位を指定し、前記ワイヤレス技術に対する前記非ＣＳＧタイプの前記優先順位は、前記非ＣＳＧタイプの第１のセルが、前記ワイヤレス技術を使用する第２のセルに関して順序付けされることを示し、前記優先順序は、データトラフィックの第１のタイプについての第１の優先順序であり、前記優先情報は、データトラフィックの第２のタイプについての第２の異なる優先順序をさらに定義する、
接続するかまたはキャンプオンすべき前記第１のセルまたは前記第２のセルを、前記優先情報に基づいて選択することと
を行うように構成される、通信装置。
【請求項２６】
前記優先順位は、前記異なるワイヤレス技術のセルラモバイル電話無線アクセス技術（ＲＡＴ）を使用する、前記非ＣＳＧタイプの別のセルを示すインジケーションに関連付けられる、請求項２５に記載の通信装置。
【請求項２７】
前記ワイヤレス技術は、ワイヤレスローカルエリアネットワーク（ＷＬＡＮ）技術である、請求項２５に記載の通信装置。
【請求項２８】
前記優先順位は、前記異なるワイヤレス技術のセルラモバイル電話無線アクセス技術（ＲＡＴ）を使用する、前記非ＣＳＧタイプの別のセルを示すインジケーションに関連付けられる、請求項１２に記載の通信装置。
【請求項２９】
前記ワイヤレス技術は、ワイヤレスローカルエリアネットワーク（ＷＬＡＮ）技術である、請求項１２に記載の通信装置。